(57)【要約】【課題】パネル切断装置においては、上型の軽量化を効率的に図り、切り出されるパネル部材におけるバリの発生を効率的に抑制する。【解決手段】本発明のパネル切断装置は、上型１及び下型２と、上下型１，２間でパネル材料Ｍからパネル部材Ｐを切り出すようにパネル材料Ｍをパッド３によって押さえた状態でパネル部材Ｐの周縁部分ｐ１に沿って切断する刃部４ａを有するダイ４とを備え、上型１の周縁部分１ａに、上型１の上部１ｂ及び下部１ｃを連結する補強部１ｄが設けられ、ダイ４は、刃部４ａが上型１の周縁部分１ａの外周縁よりも上型１の内周寄りに位置するように上型１の下部１ｃに配置され、補強部１ｄが、ダイ４の刃部４ａから上型１における周縁部分１ａの上部１ｂの外周縁に向かって延びる直線Ｌに沿って配置される。【選択図】図３
2020131216.tif 000002
【特許請求の範囲】
【請求項１】
上型及び下型と、
前記上型及び前記下型間で、パネル材料からパネル部材を切り出すように、前記パネル材料をパッドによって押さえた状態で前記パネル部材の周縁部分に沿って切断する刃部を有するダイと
を備えるパネル切断装置であって、
前記上型の周縁部分に、前記上型の上部及び下部を連結する補強部が設けられ、
前記ダイは、前記刃部が前記上型の周縁部分の外周縁よりも前記上型の内周寄りに位置するように前記上型の下部に配置され、
前記補強部が、前記ダイの刃部から前記上型における周縁部分の上部の外周縁に向かって延びる直線に沿って配置されている、パネル切断装置。
【請求項２】
前記補強部と前記上型の上部との間に前記上型の周縁部分を貫通する孔部が形成されている、請求項１に記載のパネル切断装置。
【請求項３】
前記補強部と前記上型の下部との間に前記上型の周縁部分を貫通する孔部が形成されている、請求項１又は２に記載のパネル切断装置。
【請求項４】
前記補強部が、前記パネル部材の縁部分に沿って延びる前記ダイの延在方向の両端部に対応する位置にそれぞれ設けられている、請求項１〜３のいずれか一項に記載のパネル切断装置。
【請求項５】
前記補強部が、前記パネル部材の縁部分に沿って延びる前記ダイの延在方向の中央部に対応する位置に設けられている、請求項１〜４のいずれか一項に記載のパネル切断装置。
【発明の詳細な説明】
【技術分野】
【０００１】
本発明は、上型及び下型間でパネル材料からパネル部材を切り出すパネル切断装置に関する。
【背景技術】
【０００２】
車両のサイドボディアウターパネル等のようなパネル部材を、板金等のパネル材料から切り出す加工をするためにパネル切断装置が用いられている。典型的に、パネル切断装置は、上型及び下型間で、パネル材料をパッドによって押さえた状態で上型のダイと下型の切刃とによって、切り出されるパネル部材の縁部分に沿って切断するようになっている（例えば、特許文献１を参照）。
【先行技術文献】
【特許文献】
【０００３】
【特許文献１】特開平５−６９０５５号公報
【発明の概要】
【発明が解決しようとする課題】
【０００４】
上述のようなパネル切断装置において、一般的に、ダイを取り付ける上型は鋳物となっており、上型を軽量化するために上型には鋳抜き孔が空けられている。しかしながら、鋳抜き孔は上型の強度を低下させるので、パネル材料を切断するときに、上型がその内周から外周に向かう方向にて動的に変化する「あおり現象」が発生するおそれがある。上型のあおり現象は、上型のダイ及び下型の切刃間のクリアランスを広げ、その結果、切り出されたパネル部材にバリが生じるおそれがある。そして、このようなバリの発生を抑えるためにクリアランスを調節することが行われることがあるが、このような調節は手間である。
【０００５】
そのため、パネル切断装置においては、上型の軽量化を効率的に図り、切り出されるパネル部材におけるバリの発生を効率的に抑制することが望まれる。
【課題を解決するための手段】
【０００６】
上述のような課題を解決するために、一態様に係るパネル切断装置は、上型及び下型と、前記上型及び前記下型間で、パネル材料からパネル部材を切り出すように、前記パネル材料をパッドによって押さえた状態で前記パネル部材の周縁部分に沿って切断する刃部を有するダイとを備えるパネル切断装置であって、前記上型の周縁部分に、前記上型の上部及び下部を連結する補強部が設けられ、前記ダイは、前記刃部が前記上型の周縁部分の外周縁よりも前記上型の内周寄りに位置するように前記上型の下部に配置され、前記補強部が、前記ダイの刃部から前記上型における周縁部分の上部の外周縁に向かって延びる直線に沿って配置されている。
【発明の効果】
【０００７】
一態様に係るパネル切断装置においては、上型の軽量化を効率的に図ることができ、切り出されるパネル部材におけるバリの発生を効率的に抑制できる。
【図面の簡単な説明】
【０００８】
【図１】図１は、本実施形態に係るパネル切断装置を概略的に示す斜視図である。
【図２】図２は、図１のＡ−Ａ線断面図である。
【図３】図３は、図１のＢ部拡大図である。
【図４】図４は、本実施形態において、開放状態のパネル切断装置の周縁領域を図１のＣ−Ｃ線に沿って切断した状態で概略的に示す断面図である。
【図５】図５は、本実施形態において、パネル押え状態のパネル切断装置の周縁領域を図１のＣ−Ｃ線に沿って切断した状態で概略的に示す断面図である。
【図６】図６は、本実施形態において、切断状態のパネル切断装置の周縁領域を図１のＣ−Ｃ線に沿って切断した状態で概略的に示す断面図である。
【発明を実施するための形態】
【０００９】
本実施形態に係るパネル切断装置について説明する。本実施形態は、パネル切断装置によって切り出されるパネル部材の一例として、車両のサイドボディアウターパネルを用いて説明する。しかしながら、パネル部材は、これに限定されず、板金等のパネル材料により構成されるパネル部材、特に、自動車等の車両のパネル部材であればよい。例えば、パネル部材は、車両のドアアウターパネル等とすることもできる。
【００１０】
「パネル切断装置の概略」
最初に、図１〜図６を参照して、本実施形態に係るパネル切断装置の概略について説明する。図１及び図２に示すように、パネル切断装置は、板金等のパネル材料Ｍからパネル部材Ｐを切り出すように構成されている。図１〜図６に示すように、かかるパネル切断装置は、上型１及び下型２を有する。図４〜図６に示すように、パネル切断装置は、上型１及び下型間２でパネル材料Ｍを押さえるパッド３を有する。
【００１１】
パネル切断装置は、パネル材料Ｍを切断するダイ４を有する。ダイ４は、パネル材料Ｍをパッド３によって押さえた状態でパネル部材Ｐを切り出すように、パネル材料Ｍをパッド３によって押さえた状態でパネル部材Ｐの周縁部分ｐ１に沿って切断する刃部４ａを有する。
【００１２】
上型１の外周部分１ａには、上型１の上部１ｂ及び下部１ｃを連結する補強部１ｄが設けられる。ダイ４は、刃部４ａが上型１の周縁部分１ａの外周よりも上型１の内周寄りに位置するように上型１の下部１ｃに配置される。補強部１ｄは、ダイ４の刃部４ａから上型１における周縁部分１ａの上部１ｂの外周に向かって延びる直線Ｌ（図４にて一点鎖線により示す）に沿って配置されている。
【００１３】
さらに、本実施形態に係るパネル切断装置の概略は次のようになっているとよい。図３〜図６に示すように、上型１の上部１ｂと補強部１ｄとの間に上型１の周縁部分１ａを貫通する上側孔部１ｅが形成されている。また、上型１の下部１ｃと補強部１ｄとの間に上型１の周縁部分１ａを貫通する下側孔部１ｆが形成されている。
【００１４】
図１に示すように、ダイ４は、パネル部材Ｐの周縁部分ｐ１に沿って延びる。図１及び図３に示すように、パネル切断装置においては、ダイ４の延在方向の両長手端部４ｂに対応する位置にそれぞれ補強部１ｄが設けられている。パネル切断装置においては、ダイ４の延在方向の長手中央部４ｃに対応する位置に補強部１ｄが設けられている。
【００１５】
「パネル切断装置の詳細」
次に、図１及び図３〜図６を参照して、本実施形態に係るパネル切断装置の詳細について説明する。すなわち、本実施形態に係るパネル切断装置は詳細には次のようになっているとよい。図４〜図６に示すように、上型１及び下型２は、互いに対して上下方向に相対的に移動可能に構成される。特に、上型１が可動となっており、かつ下型２が固定されるとよい。
【００１６】
図３〜図６に示すように、特に、上型１が鋳物である場合において、補強部１ｄは上型１と一体に形成されるとよい。しかしながら、補強部は、上型と別体に形成されると共に上型に取り付けられてもよい。上型１の上側及び下側孔部１ｅ，１ｆのそれぞれに形成される角部には、丸みが付けられるとよい。
【００１７】
図４〜図６に示すように、刃部４ａは、上型１の内周側に位置するダイ４の内周端部４ｄに位置する。なお、ダイ４の内周側は上型１の周縁部分１ａの内周側に対応し、かつダイ４の外周側は上型１の周縁部分１ａの外周側に対応する。刃部４ａは、上型１の周縁部分１ａの内周よりも上型１の内周寄りに位置する。
【００１８】
図１に示すように、パネル切断装置は、パネル部材Ｐの周縁部分ｐ１に沿って並ぶ複数のダイ４を有する。各ダイ４は、パネル部材Ｐの周縁部分ｐ１の一部に対応するセクショナルダイである。上型１は、各ダイ４に対応する少なくとも１つの補強部１ｄを有する。しかしながら、上型は、複数のダイのうち少なくとも１つに対応する少なくとも１つの補強部を有するように構成することもできる。
【００１９】
補強部１ｄは、上型１の下方から同上方に向かうに従って上型１の周縁部分１ａの内周縁から同外周縁に向かって傾斜する直線Ｌに沿って配置される。上型１はまた、上型１の周方向に互いに間隔を空けた複数の補強部１ｄを有することができる。この場合、上型１の周方向において隣接する補強部１ｄの間隔は、約２５０ｍｍ〜約５００ｍｍであるとよい。しかしながら、補強部の間隔は、これに限定されない。
【００２０】
パネル切断装置は、パッド３と一緒になってパネル材料Ｍを上下方向に挟む下刃５を有する。下刃５は下型２に取り付けられる。パッド３及び下刃５は、上型１の周縁部分１ａに対して上型１の内周側に位置する。ダイ４は、パッド３及び下刃５に対して上型１の外周側に位置する。上型１の外周側に位置するパッド３及び下刃５の外周縁３ａ，５ａは、上下方向に互いに連続するように形成される。ダイ４は、パッド３及び下刃５の外周縁３ａ，５ａに沿って上下方向に移動する。ダイ４は、パッド３及び下刃５によって上下方向に挟まれたパネル材料Ｍからパネル部材Ｐの周縁部ｐ１を切り出すように、下刃５の外周縁と協働してパネル材料Ｍを切断する。
【００２１】
パネル切断装置は、パッド３を上下方向に移動可能に支持するパッド支持機構６を有する。パッド支持機構６は、上型１に取り付けられる。パッド支持機構６は、パッド３の上下方向移動を減衰させるように構成されるとよい。例えば、パッド支持機構６はガススプリングとすることができる。しかしながら、パッド支持機構はこれに限定されない。パネル切断装置が複数のダイ４を有する場合においては、パネル切断装置は、各ダイに対応するパッド３、下刃５及びパッド支持機構６を有する。
【００２２】
「パネル切断装置における切断方法」
図４〜図６を参照して、本実施形態に係るパネル切断装置における切断方法の一例について説明する。最初に、図４に示すように、上型１及び下型２は互いに上下方向に離れて位置する。上型１のパッド３及び下型２の下刃５は互いに上下方向に離れて位置する。ダイ４は、下刃５よりも上方に位置する。このようなパネル切断装置の開放状態で、パッド３及び下刃５間にパネル材料Ｍを配置する。
【００２３】
図５に示すように、上型１を下型２に向けて下方に移動させると、パネル切断装置は、パネル材料Ｍがパッド３及び下刃５間に挟まれたパネル押え状態となる。パネル押え状態では、言い換えれば、パネル材料Ｍがパッド３によって押さえられる。
【００２４】
図６に示すように、上型１を下型２に向けて下方にさらに移動させると、パネル切断装置は、パネル材料Ｍがパッド３及び下刃５間に挟まれた状態でダイ４と下刃５の外周縁５ａとによって切断した切断状態となる。その結果、パネル材料Ｍは、パネル部材ＰとスクラップＳとに分離されて、パネル部材Ｐがパネル材料Ｍから切り出されることとなる。
【００２５】
以上、本実施形態に係るパネル切断装置においては、次のような作用及び効果を得ることができる。すなわち、一般的なパネル切断装置において、パネル材料が切断されるとき、上型にて、ダイの刃部から上型における周縁部分の上部の外周縁に向かって荷重が加えられるが、かかる荷重によって上型のあおり現象がもたらされ、切り出されるパネル部材にバリがもたらされるおそれがある。これに対して、本実施形態に係るパネル切断装置においては、上型１の周縁部分１ａに、上型１の上部１ｂ及び下部１ｃを連結する補強部１ｄが設けられ、かかる補強部１ｄが、ダイ４の刃部４ａから上型１における周縁部分１ａの上部１ｂの外周縁に向かって延びる直線Ｌに沿って配置されている。そのため、かかる補強部１ｄによって、上型１の軽量化を効率的に図ることができ、上型１のあおり現象を効率的に抑制するように上型１を効率的に補強できる。さらに、上型１の効率的な補強によって、切り出されるパネル部材Ｐにおけるバリの発生を効率的に抑制できる。
【００２６】
本実施形態に係るパネル切断装置においては、上型１の上部１ｂ及び補強部１ｄ間に上型１の周縁部分１ａを貫通する上側孔部１ｅが形成されている。そのため、上型１を効率的に補強する補強部１ｄを維持しながら、上型１の上部１ｂ及び補強部１ｄ間の上側孔部１ｅによって上型１の重量を効率的に削減できる。よって、上型１の軽量化を効率的に図ることができ、切り出されるパネル部材Ｐにおけるバリの発生を効率的に抑制できる。
【００２７】
本実施形態に係るパネル切断装置においては、上型１の下部１ｃ及び補強部１ｄ間に上型１の周縁部分１ａを貫通する下側孔部１ｆが形成されている。そのため、上型１を効率的に補強する補強部１ｄを維持しながら、上型１の下部１ｃ及び補強部１ｄ間の下側孔部１ｆによって上型１の重量を効率的に削減できる。よって、上型１の軽量化を効率的に図ることができ、切り出されるパネル部材Ｐにおけるバリの発生を効率的に抑制できる。
【００２８】
本実施形態に係るパネル切断装置においては、補強部１ｄが、パネル部材Ｐの縁部分ｐ１に沿って延びるダイ４の延在方向の両長手端部４ｂに対応する位置にそれぞれ設けられている。そのため、ダイ４の両長手端部４ｂを補強部１ｄによって効率的に補強できる。よって、切り出されるパネル部材Ｐにおけるバリの発生を効率的に抑制できる。
【００２９】
本実施形態に係るパネル切断装置においては、補強部１ｄが、パネル部材Ｐの縁部分ｐ１に沿って延びるダイ４の延在方向の長手中央部４ｃに対応する位置に設けられている。そのため、ダイ４の長手中央部４ｃを補強部１ｄによって効率的に補強できる。よって、切り出されるパネル部材Ｐにおけるバリの発生を効率的に抑制できる。
【００３０】
ここまで本発明の実施形態について説明したが、本発明は上述の実施形態に限定されるものではなく、本発明は、その技術的思想に基づいて変形及び変更可能である。
【符号の説明】
【００３１】
１…上型、１ａ…周縁部分、１ｂ…上部、１ｃ…下部、１ｄ…補強部、１ｅ…上側孔部、１ｆ…下側孔部、２…下型、３…パッド、４…ダイ、４ａ…刃部、４ｂ…長手端部、４ｃ…長手中央部、Ｌ…直線、Ｍ…パネル材料、Ｐ…パネル部材、ｐ１…周縁部分
【図１】
2020131216.tif 000003
【図２】
2020131216.tif 000004
【図３】
2020131216.tif 000005
【図４】
2020131216.tif 000006
【図５】
2020131216.tif 000007
【図６】
2020131216.tif 000008